(57)【要約】【課題】  ウェブコンテンツのようなダウンロード型のコンテンツに対して表示・参照した時間に応じた課金を可能とし、また、ＶｏＩＰ通話のようなストリーム型のコンテンツ利用と、ウェブコンテンツ参照のようなダウンロード型のコンテンツ利用とをいずれも利用時間による同一の課金方法で管理できるようにする。【解決手段】  通信コンテンツの出力時間に応じた課金を行う課金装置であって、コンテンツ提供サーバ(１１６)からコンテンツを取得し表示することが可能な通信端末(１０１)において、コンテンツの表示時間を管理するコンテンツ出力時間管理手段(１１０)を備え、該通信端末上でのコンテンツの出力時間を計測(１０９)し、該計測結果を課金サーバに送信する(１１０)よう動作する。【選択図】  図２
2005293415.tif 000002
【特許請求の範囲】
【請求項１】
ＵＲＬ決定手段と通信路とを介して外部のサーバよりコンテンツを取得するコンテンツ取得手段と、
前記取得したコンテンツを出力するコンテンツ出力手段と、を備える通信端末であって、
さらに、前記コンテンツ出力手段によるコンテンツ出力時間を計測記録し、該計測結果を前記通信路によって接続される外部サーバに送信する、コンテンツ出力時間管理手段を備えることを特徴とする通信端末。
【請求項２】
請求項１に記載の通信端末において、
前記ＵＲＬ決定手段が、
電話番号入力手段と、
該電話番号を元に接続先を決定する外部サーバに接続して接続先情報を取得するリクエスト送受信手段と、
から構成されることを特徴とする通信端末。
【請求項３】
請求項１に記載の通信端末であって、
さらに、取得したコンテンツの課金情報に基づいて課金のための時間計測を行うかどうかを判定する判定手段を有することを特徴とする通信端末。
【請求項４】
ＵＲＬを決定するＵＲＬ決定ステップと、
前記ＵＲＬ決定ステップにより決定した外部のサーバよりコンテンツを取得するコンテンツ取得ステップと、
前記取得したコンテンツを出力するコンテンツ出力ステップと、を備えるコンテンツ表示方法であって、
さらに、コンテンツ出力時間を計測記録し、該計測結果を通信路によって接続される外部サーバに送信するステップを備えることを特徴とするコンテンツ表示方法。
【請求項５】
請求項４に記載のコンテンツ表示方法において、
前記ＵＲＬ決定ステップが、
電話番号入力ステップと、
該電話番号を元に接続先を決定する外部サーバに接続して接続先情報を取得するステップと、
から構成されることを特徴とするコンテンツ表示方法。
【請求項６】
請求項４に記載のコンテンツ表示方法であって、
さらに、取得したコンテンツの課金情報に基づいて課金のための時間計測を行うかどうかを判定するステップを有することを特徴とするコンテンツ表示方法。
【請求項７】
ＵＲＬを決定するＵＲＬ決定ステップと、
前記ＵＲＬ決定ステップにより決定した外部のサーバよりコンテンツを取得するコンテンツ取得ステップと、
前記取得したコンテンツを出力するコンテンツ出力ステップと、を備えるコンテンツ表示プログラムを記録した記録媒体であって、
さらに、コンテンツ出力時間を計測記録し、該計測結果を通信路によって接続される外部サーバに送信するステップを備えることを特徴とする、コンテンツ表示プログラムを記録した記録媒体。
【請求項８】
請求項７に記載のコンテンツ表示プログラムを記録した記録媒体において、
前記ＵＲＬ決定ステップが、
電話番号入力ステップと、
該電話番号を元に接続先を決定する外部サーバに接続して接続先情報を取得するステップと、
から構成されることを特徴とするコンテンツ表示プログラムを記録した記録媒体。
【請求項９】
請求項７に記載のコンテンツ表示プログラムを記録した記録媒体であって、
さらに、取得したコンテンツの課金情報に基づいて課金のための時間計測を行うかどうかを判定するステップを有することを特徴とするコンテンツ表示プログラムを記録した記録媒体。
【請求項１０】
通話機能とウェブページ取得機能を備えたＳＩＰクライアントであるＳＩＰ装置において、
取得したウェブページの課金情報に基づいて課金のための時間計測を行う手段を備えることを特徴とするＳＩＰ装置。
【請求項１１】
請求項１０に記載のＳＩＰ装置において、さらに、ウェブページを課金するための時間計測を行う手段が通話による課金と同一の手段であることを特徴とするＳＩＰ装置。
【請求項１２】
ウェブサイトからウェブページを収集するウェブページ収集装置であって、
さらに、収集したウェブページを電話番号形式の数字列で参照可能なＳＩＰアドレスに変換する手段を備えることを特徴とするウェブページ収集装置。
【請求項１３】
ウェブサイトからウェブページを収集するウェブページ収集方法であって、
さらに、収集したウェブページを電話番号形式の数字列で参照可能なＳＩＰアドレスに変換するステップを備えることを特徴とするウェブページ収集方法。
【請求項１４】
ウェブサイトからウェブページを収集するウェブページ収集プログラムを記録した記録媒体であって、
さらに、収集したウェブページを電話番号形式の数字列で参照可能なＳＩＰアドレスに変換するステップを備えることを特徴とする、ウェブページ収集プログラムを記録した記録媒体。
【発明の詳細な説明】
【技術分野】
【０００１】
本発明は、通信コンテンツの出力時間に応じた課金を行う通信端末、コンテンツ表示方法、ＳＩＰ装置、ウェブページ収集装置、ウェブページ収集方法、記録媒体に関する。
【背景技術】
【０００２】
従来、ウェブに代表されるようなサーバからクライアントにダウンロードしてクライアント画面に出力するようなコンテンツの課金方法として、その利用回数(ダウンロード回数)に応じて課金したり、会費を払って会費が有効な期限内は何回でもダウンロードできるようにしたり、または一度ダウンロードしたコンテンツを一定の期間だけクライアント上で出力可能なように制御する仕組みを用意していた。
【０００３】
図３は、従来の課金方法のうちダウンロード回数に応じて課金する場合を示した図であり、ＶｏＩＰ(Voice over Internet Protocolの略:IP上で通話するための規約)との共存システムについて従来技術の延長で実装する場合の一例を示している。まずその他の図中の略号を簡単に説明する。ＳＩＰ(Session Initiation Protocol)は、ＩＰ上で通話相手と接続するための規約である。ＨＴＭＬ(Hyper Text Markup Language)はウェブページを記述するための言語である。ＨＴＴＰ(Hyper Text Transfer Protocol)は、ウェブページをサーバとクライアント間でやり取りするための規約である。
【０００４】
次に上記例の構成と動作について説明する。
ＳＩＰクライアント(２０１)は、通話機能とウェブ表示機能の両方を持つ端末である。ユーザはまず、電話番号入力手段(２０２)によって通信相手を識別する電話番号形式の番号(現在のアナログ電話における電話番号に相当する。ここでは電話番号とは、前記電話番号形式の番号のことを指すこととする)を入力する。該番号はリクエスト送信手段(２０３)を介してＳＩＰサーバ(２１１)のSIPアドレス−ＵＲＬ変換手段(２１２)に渡される。ＳＩＰアドレス−ＵＲＬ変換手段(２１２)は、電話番号−ＵＲＬ対応ＤＢ(２１３)を参照し、該受信した電話番号に対応するＵＲＬ形式の接続先アドレスおよびプロトコル等の接続に必要な情報をリクエスト受信手段(２０４)に返信する。返信されたＵＲＬ等の接続情報を元に接続方法判定手段(２０５)はＶｏＩＰによる通話かＨＴＴＰによるウェブページ取得かを選択する。ＶｏＩＰによる通話の場合にはＶｏＩＰ接続手段(２０８)が返信されたＵＲＬ情報を元に相手側のＶｏＩＰ端末(２１８)と接続し通話する。この時通話時間に対して課金するために、通話時間計測手段(２０９)を利用して通話した時間を計測し、通話時間送信手段(２１０)を介して課金サーバ(２１９)にその通話時間を通知する。また、ＨＴＴＰによるウェブページ取得の場合には、ＨＴＴＰ接続手段(２０６)を介して返信されたＵＲＬに対応するウェブサイト(２１６)からウェブページ(２１７)を取得し、該ウェブページをＨＴＭＬ表示手段(２０７)に表示する。この時ウェブページを取得したことに対して電話番号等からユーザIDを取得し、ユーザID−アクセス回数ＤＢに記録する。ウェブページ課金に関してはこのユーザID−アクセス回数ＤＢに記録されたアクセス回数を元に行う。
【０００５】
従来技術例として、利用者が利用者端末から電子フォーム課金装置にアクセスし、電子フォームの選択を行い、電子フォーム課金装置が携帯用ウェブページのアクセス情報を利用者端末へ送信し、利用者は受け取ったアクセス情報に基づいて携帯用ウェブページにアクセスし、電子フォーム課金装置が携帯用ウェブページ上で請求情報を掲示し、利用者が利用者用ウェブページからアクセス情報をダウンロードすると同時に電子フォーム利用料の決済を行うものがある（例えば、特許文献１参照）。
【特許文献１】特開２００３−１５７３９８号公報
【発明の開示】
【発明が解決しようとする課題】
【０００６】
しかしながら、従来技術における第一の問題点は、ウェブコンテンツのようなダウンロード型のコンテンツに対する課金方法が、該コンテンツをユーザが表示・参照している時間に対して課金されていないことにある。その原因は、コンテンツの参照時間を管理し、課金に利用していないためである。また、ウェブコンテンツは表示回数や月極等の一定期間で課金するビジネス形態になっていて従量課金の商習慣がサービス提供側にもユーザ側にもないためである。
【０００７】
第二の問題点は、ウェブコンテンツのようなダウンロード型のコンテンツとＶｏＩＰによる通話のようなストリーム型のコンテンツとが別々の課金体系で課金されていることにある。その原因は、ストリーム型コンテンツは常に通信状態にあるので通信時間を管理すればクライアントにおける利用時間を管理できるのに対して、ダウンロード型コンテンツは最初の一回に通信するだけで、ダウンロード完了後の参照時には通信が発生しないため通信時間と利用時間を同一にして管理できないためである。
【０００８】
本発明の目的は、ウェブコンテンツのようなダウンロード型のコンテンツに対して表示・参照した時間に応じた課金を行えるようにすることである。また、本発明の他の目的は、ＶｏＩＰ通話のようなストリーム型のコンテンツ利用と、ウェブコンテンツ参照のようなダウンロード型のコンテンツ利用とをいずれも利用時間による同一の課金方法で管理できるようにすることである。
【０００９】
本発明は、通信コンテンツの出力時間に応じた課金に関し、コンテンツ提供サーバからコンテンツを取得し、表示することが可能な通信端末において、コンテンツの表示時間を管理するコンテンツ出力時間管理手段を備え、該通信端末上でのコンテンツの出力時間を計測し、該計測結果を課金サーバに送信するよう動作する構成を採用することによって、通信端末におけるコンテンツの出力時間に応じた課金を行うことが可能な通信端末、コンテンツ表示方法、ＳＩＰ装置、ウェブページ収集装置、ウェブページ収集方法、記録媒体を提供する。これにより、上記本発明の目的を達成することができる。
【課題を解決するための手段】
【００１０】
かかる目的を達成するために、請求項１記載の発明は、ＵＲＬ決定手段と通信路とを介して外部のサーバよりコンテンツを取得するコンテンツ取得手段と、取得したコンテンツを出力するコンテンツ出力手段と、を備える通信端末であって、さらに、コンテンツ出力手段によるコンテンツ出力時間を計測記録し、計測結果を通信路によって接続される外部サーバに送信する、コンテンツ出力時間管理手段を備えることを特徴とする。
【００１１】
また、請求項２記載の発明は、請求項１記載の発明において、ＵＲＬ決定手段が、電話番号入力手段と、電話番号を元に接続先を決定する外部サーバに接続して接続先情報を取得するリクエスト送受信手段と、から構成されることを特徴とする。
【００１２】
また、請求項３記載の発明は、請求項１に記載の発明であって、さらに、取得したコンテンツの課金情報に基づいて課金のための時間計測を行うかどうかを判定する判定手段を有することを特徴とする。
【００１３】
請求項４記載の発明は、ＵＲＬを決定するＵＲＬ決定ステップと、ＵＲＬ決定ステップにより決定した外部のサーバよりコンテンツを取得するコンテンツ取得ステップと、取得したコンテンツを出力するコンテンツ出力ステップと、を備えるコンテンツ表示方法であって、さらに、コンテンツ出力時間を計測記録し、計測結果を通信路によって接続される外部サーバに送信するステップを備えることを特徴とする。
【００１４】
請求項５記載の発明は、請求項４に記載の発明において、ＵＲＬ決定ステップが、電話番号入力ステップと、電話番号を元に接続先を決定する外部サーバに接続して接続先情報を取得するステップと、から構成されることを特徴とする。
【００１５】
請求項６記載の発明は、請求項４に記載の発明であって、さらに、取得したコンテンツの課金情報に基づいて課金のための時間計測を行うかどうかを判定するステップを有することを特徴とする。
【００１６】
請求項７記載の発明は、ＵＲＬを決定するＵＲＬ決定ステップと、ＵＲＬ決定ステップにより決定した外部のサーバよりコンテンツを取得するコンテンツ取得ステップと、取得したコンテンツを出力するコンテンツ出力ステップと、を備えるコンテンツ表示プログラムを記録した記録媒体であって、さらに、コンテンツ出力時間を計測記録し、計測結果を通信路によって接続される外部サーバに送信するステップを備えるプログラムを記録したことを特徴とする。
【００１７】
請求項８記載の発明は、請求項７に記載の発明において、ＵＲＬ決定ステップが、電話番号入力ステップと、電話番号を元に接続先を決定する外部サーバに接続して接続先情報を取得するステップと、から構成されることを特徴とする。
【００１８】
請求項９記載の発明は、請求項７に記載の発明であって、さらに、取得したコンテンツの課金情報に基づいて課金のための時間計測を行うかどうかを判定するステップを有することを特徴とする。
【００１９】
請求項１０記載の発明は、通話機能とウェブページ取得機能を備えたＳＩＰクライアントであるＳＩＰ装置において、取得したウェブページの課金情報に基づいて課金のための時間計測を行う手段を備えることを特徴とする。
【００２０】
請求項１１記載の発明は、請求項１０に記載の発明において、さらに、ウェブページを課金するための時間計測を行う手段が通話による課金と同一の手段であることを特徴とする。
【００２１】
請求項１２記載の発明は、ウェブサイトからウェブページを収集するウェブページ収集装置であって、さらに、収集したウェブページを電話番号形式の数字列で参照可能なＳＩＰアドレスに変換する手段を備えることを特徴とする。
【００２２】
請求項１３記載の発明は、ウェブサイトからウェブページを収集するウェブページ収集方法であって、さらに、収集したウェブページを電話番号形式の数字列で参照可能なＳＩＰアドレスに変換するステップを備えることを特徴とする。
【００２３】
請求項１４記載の発明は、ウェブサイトからウェブページを収集するウェブページ収集プログラムを記録した記録媒体であって、さらに、収集したウェブページを電話番号形式の数字列で参照可能なＳＩＰアドレスに変換するステップを備えるプログラムを記録したことを特徴とする。
【発明の効果】
【００２４】
本発明によれば、第一の効果は、ウェブコンテンツのようなダウンロード型のコンテンツに対して、該コンテンツをユーザが表示・参照している時間に対して課金するシステムを構築することが可能となることにある。また、電話は時間従量課金が通常の商習慣となっており、サービス提供側、ユーザ側の双方にとって違和感のない課金体系を提供することが可能となる。
【００２５】
第二の効果は、ウェブコンテンツのようなダウンロード型のコンテンツとＶｏＩＰによる通話のようなストリーム型のコンテンツとを、いずれも利用時間に応じた同一の方法で課金を行うシステムを構築することが可能となることにある。
【発明を実施するための最良の形態】
【００２６】
以下、本発明を実施するための最良の形態について添付図面を参照して詳細に説明する。
【００２７】
図１は最良の形態を表すブロック図である。通信端末(１１)は、ＵＲＬ決定手段(１２)とコンテンツ取得手段(１３)とコンテンツ出力手段(１４)とコンテンツ出力時間管理手段(１５)とから構成される。コンテンツ提供サーバ(１６)は、コンテンツ(１７)を内部に保持する。通信端末(１１)は通信路(１９)でもってコンテンツ提供サーバ(１６)と接続される。また通信端末(１１)は通信路(２０)でもって課金サーバ(１８)と接続される。
【００２８】
図４は、図１の構成における通信端末(１１)の動作フローを表すフローチャートである。まず、ＵＲＬ決定手段(１２)によってＵＲＬが決定する(ステップ３０２)。この決定されたＵＲＬを元にコンテンツ取得手段(１３)が前記ＵＲＬが示すコンテンツ(１７)をコンテンツ提供サーバ(１６)から通信路(１９)を介して取得する(ステップ３０３)。コンテンツ(１７)には場合により課金する対象かどうかを示す記号が含まれる。前記取得したコンテンツ(１７)はコンテンツ出力手段(１４)に渡される。コンテンツ出力手段(１４)では、前記取得したコンテンツが課金対象かどうかを判定する(ステップ３０４)。判定の結果、課金対象であれば、コンテンツの出力を開始し(ステップ３０５)、出力を開始したことをコンテンツ出力時間管理手段(１５)に通知する。コンテンツ出力時間管理手段ではこの出力開始時刻を記録する(ステップ３０６)。ユーザからの出力停止命令等や課金限度時間等が到来したことによって出力終了が指示されると、コンテンツの出力を停止(ステップ３０７)し、コンテンツ出力時間管理手段(１５)に出力終了を通知する。コンテンツ出力時間管理手段ではこの出力終了時刻を記録(ステップ３０８)し、これまでに記録した出力開始時刻と出力終了時刻とを課金サーバ(１８)に通信路(２０)を介して通知する。
【００２９】
コンテンツ出力時間管理手段(１５)が課金サーバ(１８)に通知する情報は、出力開始時刻と出力終了時刻の組に代えて、その差分時間としてもよい。また、時間あたりの課金情報をあらかじめ取得している場合には、前記差分時間と時間あたりの課金情報とを元に課金金額を乗算によって算出する等して、算出された課金金額を課金サーバ(１８)に通知するようにしてもよい。なお、課金サーバに時刻もしくは時間もしくは課金金額を通知する際に、使用している通信路から端末の回線番号が分からない等の場合には、端末に記憶してある端末番号や回線番号もしくは課金対象となる利用者を表す利用者番号等を一緒に通知するようにしてもよい。
【００３０】
次に、本発明の実施例について具体例に基づいて説明する。
図２は、本発明の実施例の構成について示したブロック図である。ＳＩＰクライアント(１０１)は、電話番号入力手段(１０２)と、リクエスト送信手段(１０３)とリクエスト受信手段(１０４)と接続方法判定手段(１０５)とＨＴＴＰ接続手段(１０６)とＨＴＭＬ表示手段(１０７)とＶｏＩＰ接続通話手段(１０８)と通信時間計測手段(１０９)と通信時間送信手段(１１０)とから構成される。ＳＩＰサーバ(１１１)はＳＩＰアドレス−ＵＲＬ変換手段(１１２)と電話番号−ＵＲＬ対応ＤＢ(１１３)とページ収集手段(１１４)とＵＲＬ−電話番号変換手段(１１５)とから構成される。ウェブサイト(１１６)はウェブページ(１１７)を保持する。ＳＩＰクライアント(１０１)とＳＩＰサーバ(１１１)もしくはウェブサイト(１１６)もしくはＶｏＩＰ端末(１１８)もしくは課金サーバ(１１９)の間は公衆回線網(例えばＡＤＳＬ)で接続されている。
【００３１】
図６は、電話番号−ＵＲＬ対応ＤＢに格納される電話番号形式のＳＩＰアドレスとＵＲＬとの対応を自動的に作成するための手順について説明した動作フローである。まず、ページ収集手段(１１４)において、これから情報を取得するウェブページの巡回計画を立てる（ステップ５０２）。巡回計画は例えば更新頻度の高いウェブサイトを優先して取得する等のアルゴリズムによって決定される。この計画に基づき、以下の処理を各ウェブページに対して行う。ページ収集手段(１１４)は取得対象となったウェブページ(１１７)を該ウェブページ(１１７)を保持するウェブサイト(１１６)からＨＴＴＰ等のプロトコルによって取得する(ステップ５０３)。これらの取得対象ウェブページにはヘッダー部に"X-TEL"情報タグが記載されており、そのタグに後述するX-TEL番号が記載されている。
【００３２】
前記取得したウェブページは、ＵＲＬ−電話番号変換手段(１１５)に渡される。ＵＲＬ−電話番号変換手段(１１５)では、前記ＵＲＬを構成するドメイン名をＤＮＳサーバ(Domain Name System: 英数字によるニックネームを数字列によるＩＰアドレスに変換するサーバ)等を用いて数字列のテキスト形式に変換する(ステップ５０５。変換結果を結果（１）とする)。次に前記ウェブページに含まれる"x-tel"タグを参照し、x-tel番号を抽出し、テキストに変換する(ステップ５０６。変換結果を結果（２）とする)。変換結果（１）のテキストの最後尾に変換結果（２）のテキストを追加する(ステップ５０７。追加した結果を結果（３）とする)。結果（３）と元のウェブページのURLとをセットにして電話番号−ＵＲＬ対応ＤＢ(１１３)に格納する(ステップ５０８)。計画された取得先がまだあれば、他のウェブページについて同様のステップを繰り返す(ステップ５０９)。
【００３３】
上記動作におけるウェブページの例を挙げれば、まず計画されたウェブページの中にURLとして"http://www.xyz.com/index.htm"が含まれているとする。このウェブページを取得した際に、ドメイン部のwww.xyz.comをＤＮＳサーバで変換し、"202225246210"を得る(結果（１）)。また、ウェブページ"index.htm"のヘッダー部には"X-TEL"タグに"０"が記載されており、テキスト変換の結果"０"を得る(結果（２）)。結果（１）と結果（２）とを結合し"2022252462100"を得る(結果（３）)。結果（３）の"2022252462100"と元のURLhttp://www.xyz.com/index.htmとをセットにして電話番号−ＵＲＬ対応ＤＢ(１１３)に格納する。
【００３４】
なお、上記動作フローにおいてはドメイン名をＤＮＳサーバによって数字列に変換していたが、ドメイン名と任意の数字列とを対応付けた対応テーブルを参照することによって数字列に変換するように構成してもよい。前記対応テーブルの構成としては、例えば、"205435: www.xyz.com, 205436: www.xis.com, 205437: www.xyz-el.com"という内容とすればよい。
【００３５】
また、ドメイン名の変換数字列の後に付加する数字列をウェブページそのものに埋め込む代わりに、どのウェブページがどの番号に対応するかを記載したファイル等をウェブサイト下に置き、その情報をページ収集手段が収集参照することでドメイン名の変換数字列の後に付加する数字列としてもよい。前記ファイルの構成例としては、例えば、”0: index.htm, 1: sub.htm, 2: menu.htm"という内容とすればよい。
【００３６】
図１０は、電話番号形式のＳＩＰアドレスから参照先のウェブページやＶｏＩＰ端末の参照先の接続方法に変換する、ＳＩＰアドレス−ＵＲＬ変換手段の動作フローを表すフローチャートである。まず、ＳＩＰクライアント(１０１)から電話番号形式のＳＩＰアドレスを受信する(ステップ７０２)。受信したＳＩＰアドレスからドメイン部分を除外した番号部分を検索キーとして電話番号−ＵＲＬ対応ＤＢを検索し、セットとして格納されているＵＲＬ等の接続先情報を得る(ステップ７０３)。前記得た接続先情報をＳＩＰクライアントに返信する(ステップ７０４)。
【００３７】
前記の接続先情報としては、接続先のアドレスやプロトコル等が含まれる。例えば、ウェブへの接続であれば、プロトコルである”http"と接続先アドレスである"www.xyz.com/index.htm"が該当する。
【００３８】
図５は、ＳＩＰクライアント(１０１)の動作フローを表すフローチャートである。電話番号入力手段(１０２)によってユーザから電話番号入力を受け付ける(ステップ４０２)。リクエスト送信手段(１０３)は前記入力された電話番号にドメイン名を付加してＳＩＰアドレスを作成し、該ＳＩＰアドレスをＳＩＰサーバ(１１１)に送信する(ステップ４０３)。この時ＳＩＰクライアントの画面出力としては例えば図７のように処理中であることを示す。ＳＩＰサーバ(１１１)によって接続先が通知されるのでその情報をリクエスト受信手段(１０４)によって受信する(ステップ４０４)。接続方法判定手段(１０５)において、前記通知された接続先情報から接続先の接続方法がＶｏＩＰによるものかＨＴＴＰによるものかを判定し(ステップ１０５)、ＶｏＩＰであればＶｏＩＰ接続通話手段(１１０)にＨＴＴＰであればＨＴＴＰ接続手段(１０６)による接続先への接続を試みる。
【００３９】
ＶｏＩＰ接続通話手段(１０８)はＶｏＩＰによって接続先ＶｏＩＰ端末(１１８)と接続し通話を開始する(ステップ４０６)。この接続開始時に通信時間計測手段(１０９)に通信が開始したことを通知する。通信時間計測手段(１０９)は、前記開始時刻をＳＩＰクライアント(１０１)上のフラッシュメモリ等の記録メディアに記録する。
【００４０】
ユーザが受話器を置く等の接続終了意思が示されると、ＶｏＩＰによる通信を切断する(ステップ４０８)。この時通信が終了したことを通信時間計測手段(１０９)に通知する(ステップ４０９)。通信時間計測手段(１０９)は前記終了時刻を記録し、既に記録されていた開始時刻と終了時刻とを通信時間送信手段(１１０)を介して課金サーバ(１１９)に通知する。(ステップ４１０)。一方、前記接続方法判定手段(１０５)において接続方法がＨＴＴＰによった場合、ＨＴＴＰ接続手段(１０６)はステップ４０４で受信した接続先情報に含まれるＵＲＬ情報を元にウェブサイト(１１６)に接続し、そのＵＲＬが示すウェブページ(１１７)を取得する(ステップ４１２)。この時、ウェブページ(１１７)には場合によって課金対象であることを示す記号が記載されている(例えばヘッダー部に"X-KAKIN"タグが記載されていて、そのタグがある場合には課金対象であることを示す)。
【００４１】
ＨＴＭＬ表示手段(１０７)では、ページ内の情報等を参照し、もし課金対象であることを示す記号があれば(ステップ４１３)、ウェブページ出力を開始する(ステップ４１４)とともに出力開始時刻を通信時間計測手段(１０９)に通知する。この時のウェブページ出力例を図９に示す。またこの時にはユーザによる終了指示等何らかの原因でウェブページ出力が停止された(ステップ４１６)場合にもその出力終了時刻を通信時間計測手段(１０９)に通知する。通信時間計測手段(１０９)では、前記出力開始時刻と出力終了時刻とを記録している。
【００４２】
前記記録された時刻は、ＶｏＩＰ接続通話と同様に通信時間送信手段(１１０)を通じて課金サーバ(１１９)に送信される。また、ステップ４１３において課金対象でないと判定された場合には、ＨＴＭＬ表示手段(１０７)は課金に関する時間管理をせずにウェブページ出力を開始し(ステップ４１９)、何らかの理由により出力終了が指示されれば、その出力を停止する(ステップ４２０)。
【００４３】
なお、この実施例では典型的な例として電話番号を入力してウェブページを１度表示して終わる場合について記したが、図 ８のように出力したウェブページがメニュー構成で示されている場合等、電話番号入力(ステップ４０２)によって直接示されるウェブページ以外にも課金対象となるウェブページが存在する場合があり、その場合には、ＨＴＭＬ表示手段(１０７)によってウェブページが出力された際にユーザからの操作を受け付け、操作の結果、他のウェブページを取得する場合にはＨＴＴＰ接続手段(１０６)によるウェブコンテンツ取得(ステップ４１２)に制御を戻す。この制御によって他のウェブページを取得した後に、この他のウェブページをＨＴＭＬ表示手段に表示する際には、前のウェブページ表示が終了することになるので、前のウェブページが課金対象であれば、その出力終了時刻を通信時間計測手段に通知する。
【００４４】
ＨＴＭＬ表示手段(１０７)における他のウェブページの処理方法については、通常の処理方法(ステップ４１３以下の処理方法)に従う。ただし前のウェブページと他のウェブページがともに課金対象であれば、前のウェブページの出力終了時刻と他のウェブページの出力開始時刻の通知をしないで一つのコンテンツの表示が続いているように動作させてもよい。このように一連のウェブページ表示がある場合には、通信時間計測手段(１０９)では、それらの累積時間を記録対象としてもよく、その場合通信時間送信手段を介して課金サーバに送信される情報は累積時間としてもよい。
【００４５】
また、前記実施例においては、直接ウェブページ（１１７）内に課金対象かどうかを示す情報（Ｘ−ＫＡＫＩＮタグ）が記述されている例を示したが、ウェブページ（１１７）内に課金対象かどうかを作成時に埋め込まずに、ウェブページ（１１７）が手順４１３においてＳＩＰクライアント（１０１）に送信される時にウェブサイト（１１６）がウェブページ（１１７）のヘッダー部に追記するようにしてもよい。また、ページに埋め込まずに別途課金対象であることを示す情報をＳＩＰクライアント（１０１）に送付するようにしてもよい。
【００４６】
また、ウェブページで直接課金対象かどうかを記述せずに、別途課金対象ＵＲＬ管理ＤＢ等で課金対象のＵＲＬを管理し、該情報をＳＩＰクライアント（１０１）に送付するようにしてもよい。
【００４７】
また、前記実施例において、ページ収集手段（１１４）とＵＲＬ−電話番号変換手段（１１５）によって自動的にウェブページの収集と電話番号への変換を行う代わりに、管理クライアント（図示せず）から電話番号−ＵＲＬ対応ＤＢにアクセスする等して、電話番号−ＵＲＬ対応ＤＢ内のデータを作成または格納するようにしてもよい。
【００４８】
また、前記実施例において、接続方法判定手段（１０５）によって判別される接続方法は、ＨＴＴＰとＶｏｉｄの二種類として記述したが、これらに限定されるものではなく、少なくとも接続方法の一つにパケット通信が発生する方法であれば、任意の接続方法であってよい。
【００４９】
以上、本発明の実施例について説明したが、上記実施例に限定されるものではなく、その要旨を逸脱しない範囲において種々の変形が可能である。
【産業上の利用可能性】
【００５０】
本発明によれば、ウェブページのブラウズ機能を備えた電話端末の課金用途に適用できる。また、ウェブページのブラウザプログラムをインストール可能なパーソナルコンピュータに適用できる。
【図面の簡単な説明】
【００５１】
【図１】本発明を実施するための最良の形態の構成を示すブロック図である。
【図２】本発明の最良の形態を実施する実施例のブロック図である。
【図３】従来の技術を説明するブロック図である。
【図４】本発明の最良の形態の動作を示す動作フローチャートである。
【図５】本発明の最良の形態を実施する実施例のＳＩＰクライアント装置内の動作フローチャートである。
【図６】本発明の実施例における電話番号−ＵＲＬ対応ＤＢを作成する方法の動作フローチャートである。
【図７】本発明の実施例を実施した際のユーザ画面(ダイアル後の状況説明画面)を表す。
【図８】本発明の実施例を実施した際のユーザ画面(ウェブページ出力/無料)を表す。
【図９】本発明の実施例を実施した際のユーザ画面(ウェブページ出力/有料)を表す。
【図１０】本発明の実施例におけるＳＩＰアドレス−ＵＲＬ変換手段の動作フローチャートである。
【符号の説明】
【００５２】
１１    通信端末
１２    ＵＲＬ決定手段
１３    コンテンツ取得手段
１４    コンテンツ出力手段
１５    コンテンツ出力時間管理手段
１６    コンテンツ提供サーバ
１７    コンテンツ
１８    課金サーバ
１９    通信路
２０    通信路
１０１    ＳＩＰクライアント
１０２    電話番号入力手段
１０３    リクエスト送信手段
１０４    リクエスト受信手段
１０５    接続方法判定手段
１０６    ＨＴＴＰ接続手段
１０７    ＨＴＭＬ表示手段
１０８    ＶｏＩＰ接続通話手段
１０９    通信時間計測手段
１１０    通信時間送信手段
１１１    ＳＩＰサーバ
１１２    ＳＩＰアドレス−ＵＲＬ変換手段
１１３    電話番号−ＵＲＬ対応ＤＢ
１１４    ページ収集手段
１１５    ＵＲＬ−電話番号変換手段
１１６    ウェブサイト
１１７    ウェブページ
１１８    ＶｏＩＰ端末
１１９    課金サーバ
２０１    ＳＩＰクライアント
２０２    電話番号入力手段
２０３    リクエスト送信手段
２０４    リクエスト
２０５    接続方法判定手段
２０６    ＨＴＴＰ接続手段
２０７    ＨＴＭＬ表示手段
２０８    ＶｏＩＰ接続手段
２０９    通話時間計測手段
２１０    通話時間送信手段
２１１    ＳＩＰサーバ
２１２    ＳＩＰアドレス−ＵＲＬ変換手段
２１３    電話番号−ＵＲＬ対応ＤＢ
２１６    ウェブサイト
２１７    ウェブページ
２１８    ＶｏＩＰ端末
２１９    課金サーバ
２２０    ユーザＩＤ−アクセス回数ＤＢ
６０１    ＳＩＰクライアントにおける接続中の端末画面
６０２    ユーザが入力した電話番号の表示部
６０３    ＳＩＰサーバと接続してアドレス変換を行っている状態を表す動作状況説明部
６１１    「横浜市近郊の生活情報」のウェブページ
６１２、６１３、６１４、６１５    ダイアル操作で選択可能なメニュー
６２１    「天気予報」を選択した際のウェブページ
６２２    有料ウェブページを表示開始してからの経過時間(課金対象時間)
６２３、６２４、６２５、６２６    ダイアル操作で選択可能なメニュー
６２７    課金対象のコンテンツ
【図１】
2005293415.tif 000003
【図２】
2005293415.tif 000004
【図３】
2005293415.tif 000005
【図４】
2005293415.tif 000006
【図５】
2005293415.tif 000007
【図６】
2005293415.tif 000008
【図７】
2005293415.tif 000009
【図８】
2005293415.tif 000010
【図９】
2005293415.tif 000011
【図１０】
2005293415.tif 000012